(57)【要約】【課題】使い易くて携帯性が高く、かつ安価で、乳幼児の固定機能を有しない椅子にも乳幼児を固定可能な乳幼児椅子固定具を提供する。【解決手段】乳幼児の腹部に押し当てられる固定具本体１２と、雄側面状ファスナ１６および雌側面状ファスナ１８を有し、かつ胴部を背もたれ部１１ａに締結する第１のベルト１３と、雄側面状ファスナ１９および雌側面状ファスナ２０を有し、かつ固定具本体１２を座部１１ｂに締結する第２のベルト１４とを備えた乳幼児椅子固定具１０としたので、使い易くて携帯性が高く、かつ安価で、乳幼児の固定機能を有していない椅子１１にも乳幼児を固定することができる。【選択図】図１
2006187423.tif 000002
【特許請求の範囲】
【請求項１】
椅子に着座した乳幼児の胴部に押し当てられる固定具本体と、
該固定具本体に取り付けられ、乳幼児の胴部を前記椅子の背もたれ部に締結する第１のベルトと、
前記固定具本体に設けられ、前記固定具本体を椅子の座部に締結する第２のベルトとを備え、
前記第１のベルトの一端部には第１の係止部材が連結されるとともに、前記第１のベルトの他端部には、前記第１の係止部材に係止される第２の係止部材が連結され、
前記第２のベルトの一端部には第３の係止部材が連結されるとともに、前記第２のベルトの他端部には、前記第３の係止部材に係止される第４の係止部材が連結された乳幼児椅子固定具。
【請求項２】
前記第１のベルトおよび第２のベルトの少なくとも１つは、複数の部分ベルトにより構成され、
隣り合う部分ベルト同士は、掛止手段により着脱自在に連結された請求項１に記載の乳幼児椅子固定具。
【請求項３】
前記掛止手段は、面状ファスナである請求項２に記載の乳幼児椅子固定具。
【請求項４】
互いに係合される前記第１の係止部材と第２の係止部材との組、および、互いに係合される前記第３の係止部材と第４の係止部材との組の少なくとも１つが、ワンタッチで両係止部材の係止状態を解除可能なプッシュ式またはプル式のバックルを構成している請求項１〜請求項３のうち、何れか１項に記載の乳幼児椅子固定具。
【発明の詳細な説明】
【技術分野】
【０００１】
この発明は乳幼児椅子固定具、詳しくは乳幼児が椅子の上に立ち、バランスを崩して椅子から落下することを防止可能な乳幼児椅子固定具に関する。
【背景技術】
【０００２】
掴まり立ちができるようになった乳幼児を、じっと椅子に座らせておくことは難しく、すぐに座部の上に立とうとする。立ち上がったものの、乳幼児は足の踏ん張りが弱いため、バランスを崩して椅子から落下するおそれがある。
そこで、このような乳幼児の椅子からの転落を防ぐため、従来、特許文献１のような乳幼児固定機能付きの椅子が知られている。
特許文献１は、略三角柱条の椅子本体の上部に、前方が開放された腰掛け部が形成されたもので、腰掛け部の背もたれ部の前方に、両側方から延びた乳幼児の転落防止用の１対のガード部材が、バックル部を介して、着脱自在に設けられたものである。ガード部材は、バックル部の係合を解除することにより、ばねの力によって、バックル部の連結部分まで椅子本体内に収納されるようになっている。
【特許文献１】実公平５−１５２４８号公報
【発明の開示】
【発明が解決しようとする課題】
【０００３】
しかしながら、特許文献１は、乳幼児を固定する器具が椅子と一体化されたものであった。そのため、携帯性がなかった。例えばレストランに出かけたときなど、外出先に置かれた椅子に乳幼児を固定しようとしても、椅子が違うために乳幼児を固定することができなかった。
【０００４】
この発明は、使い易くて携帯性が高く、かつ安価で、乳幼児の固定機能を有していない椅子にも乳幼児を固定することができる乳幼児椅子固定具を提供することを目的としている。
また、この発明は、乳幼児を椅子に固定するベルトの締結解除を、複数の箇所のうちの選択した箇所から行うことができる乳幼児椅子固定具を提供することを目的としている。
さらに、この発明は、乳幼児を椅子に固定するベルトの締結解除を、片手で簡単に行うことができる乳幼児椅子固定具を提供することを目的としている。
【課題を解決するための手段】
【０００５】
請求項１に記載の発明は、椅子に着座した乳幼児の胴部に押し当てられる固定具本体と、該固定具本体に取り付けられ、乳幼児の胴部を前記椅子の背もたれ部に締結する第１のベルトと、前記固定具本体に設けられ、前記固定具本体を椅子の座部に締結する第２のベルトとを備え、前記第１のベルトの一端部には第１の係止部材が連結されるとともに、前記第１のベルトの他端部には、前記第１の係止部材に係止される第２の係止部材が連結され、前記第２のベルトの一端部には第３の係止部材が連結されるとともに、前記第２のベルトの他端部には、前記第３の係止部材に係止される第４の係止部材が連結された乳幼児椅子固定具である。
【０００６】
請求項１に記載の発明によれば、椅子に着座した乳幼児の胴部に固定具本体を押し当て、この状態のまま、第１のベルトの両端部を乳幼児の胴部から椅子の背もたれ部の背後までそれぞれ引き回す。ここで、第１の係止部材と第２の係止部材とを係止し、乳幼児の胴部を背もたれ部に締結（固定）する。
また、第２のベルトの両端部を椅子の座部の下に引き回し、第３の係止部材と第４の係止部材とを係止する。これにより、固定具本体が座部に締結（固定）される。このとき、乳幼児の太股もいっしょに座部に締結するようにすれば、乳幼児の座部での立ち上がり防止効果がさらに高まる。
乳幼児椅子固定具をこのように構成したので、使い易くて携帯性が高く、しかも安価で、乳幼児の固定機能を有していない椅子にも乳幼児を固定することができる。
【０００７】
椅子は、背もたれ部と座部とを有してれば、その素材、寸法、形状などは限定されない。例えば、乳幼児用の脚が長いハイチェア、大人用の椅子、ベンチ（長椅子）、自動車や飛行機などの乗り物の着座シートなどを採用することができる。
乳幼児とは、例えば掴まり立ちができるようになった年齢の子供をいう。ただし、それだけには限定されない。それより弱齢でもよいし、それより高齢でもよい。身体障害者などにも適用することができる。
【０００８】
固定具本体の素材は限定されない。例えば布帛（織布、不織布、網布）、各種の合成樹脂、各種の金属、各種のセラミックスなどを採用することができる。
固定具本体の大きさは限定されない。
固定具本体の形状は限定されない。例えば三角形状や矩形状でもよい。また、円形でもよいし、楕円形でもよい。
固定具本体が押し当てられるのは、主に胴部のうちでも、前側の腹の部分である。その他、固定具本体が押し当てられる胴部の箇所は、脇腹や背中でもよい。ただし、背中の場合には、第１のベルトをいったん使用者の前方に引き回してから腹部に戻し、その後、背もたれ部の背後に引き回すことになる。
【０００９】
第１のベルトおよび第２のベルトとしては、例えば布帛（織布、不織布、網布）、各種の合成樹脂、各種の金属、各種のセラミックスなどを採用することができる。
第１のベルトおよび第２のベルトの大きさは限定されない。
固定具本体の形状は限定されない。例えば三角形状や矩形状でもよい。また、円形でもよいし、楕円形でもよい。
第１のベルトおよび第２のベルトの固定具本体への取り付け構造は限定されない。例えば、縫着や接着により、第１のベルトおよび第２のベルトを固定具本体にしっかりと固定してもよい。また、第１のベルトおよび第２のベルトが、その長さ方向に移動自在となるように、対応するベルトを固定具本体に取り付けてもよい。具体的には、例えば固定具本体に、対応するベルトが挿通される筒部や孔部を形成する。
【００１０】
固定具本体が押し当てられるのは、胴部のうちでも、主に、使用者の前方の腹の部分である。その他、固定具本体が当接される胴部としては、脇腹や背中でもよい。ただし、背中の場合には、第１のベルトをいったん使用者の前方に引き回してから腹部側に戻し、そのまま背もたれ部の背後に引き回すことになる。
互いに係合される第１の係止部材および第２の係止部材と、同じく互いに係合される第３の係止部材および第４の係止部材との種類はそれぞれ限定されない。例えば、各種のバックル、ホック、面状ファスナなどを採用することができる。
【００１１】
請求項２に記載の発明は、前記第１のベルトおよび第２のベルトの少なくとも１つは、複数の部分ベルトにより構成され、隣り合う部分ベルト同士は、掛止手段により着脱自在に連結された請求項１に記載の乳幼児椅子固定具である。
【００１２】
請求項２に記載の発明によれば、第１のベルトおよび第２のベルトの少なくとも１つを、複数の部分ベルトにより構成し、隣り合う部分ベルト同士を掛止手段により掛止したので、乳幼児を椅子に固定するベルトの締結解除を、複数の箇所のうちの選択した箇所から行うことができる。
部分ベルトにより構成されるのは、第１のベルトだけでもよいし、第２のベルトだけでもよい。また、第１のベルトと第２のベルトとの両方でもよい。
第１のベルトを構成する部分ベルトの本数、または、第２のベルトを構成する部分ベルトの本数は、２本以上であればそれぞれ限定されない。
各部分ベルトの長さは互いに同じでもよいし、異なってもよい。
掛止手段としては、例えばフック、ホック、ボタン、紐、バックル、ファスナ、輪ゴムなどを採用することができる。
【００１３】
請求項３に記載の発明は、前記掛止手段は、面状ファスナである請求項２に記載の乳幼児椅子固定具である。
請求項３に記載の発明によれば、隣り合う部分ベルト同士を面状ファスナにより掛止したので、乳幼児を椅子に固定するベルトの締結解除を、複数の箇所のうちの選択した箇所から、片手で簡単に行うことができる。
面状ファスナは、雄側ファスナ部と雌側ファスナ部とからなるものと、雄雌を兼用したファスナ部からなるものでもよい。
【００１４】
請求項４に記載の発明は、互いに係合される前記第１の係止部材と第２の係止部材との組、および、互いに係合される前記第３の係止部材と第４の係止部材との組の少なくとも１つが、ワンタッチで両係止部材の係止状態を解除可能なプッシュ式またはプル式のバックルを構成している請求項１〜請求項３のうち、何れか１項に記載の乳幼児椅子固定具である。
【００１５】
請求項４に記載の発明によれば、第１の係止部材と第２の係止部材との組、および、第３の係止部材と第４の係止部材との組の少なくとも１つが、プッシュ式またはプル式のバックルを構成するようにしたので、乳幼児を椅子に固定するベルトの締結解除を、片手でも簡単に行うことができる。
【００１６】
バックルは、プッシュ式でもよいし、プル式でもよい。
バックルを構成するのは、第１の係止部材と第２の係止部材との組だけでもよいし、第３の係止部材と第４の係止部材との組だけでもよい。さらには、第１の係止部材と第２の係止部材との組、および、第３の係止部材と第４の係止部材との組の両方でもよい。
【発明の効果】
【００１７】
請求項１に記載の発明によれば、乳幼児の胴部に押し当てられる固定具本体と、第１の係止部材および第２の係止部材を有し、かつ胴部を背もたれ部に締結する第１のベルトと、第３の係止部材および第４の係止部材を有し、かつ固定具本体を座部に締結する第２のベルトとを備えた乳幼児椅子固定具としたので、使い易くて携帯性が高く、かつ安価で、乳幼児の固定機能を有していない椅子にも乳幼児を固定することができる。
【００１８】
特に、請求項２に記載の発明によれば、第１のベルトおよび第２のベルトの少なくとも１つを、複数の部分ベルトにより構成し、隣り合う部分ベルト同士を掛止手段により掛止したので、乳幼児を椅子に固定するベルトの締結解除を、複数の箇所のうちの選択した箇所から行うことができる。
また、請求項３に記載の発明によれば、隣り合う部分ベルト同士を面状ファスナにより掛止したので、乳幼児を椅子に固定するベルトの締結解除を、複数の箇所のうちの選択した箇所から、片手で簡単に行うことができる。
【００１９】
また、請求項４に記載の発明によれば、第１の係止部材と第２の係止部材との組、および、第３の係止部材と第４の係止部材との組の少なくとも１つが、プッシュ式またはプル式のバックルを構成するようにしたので、乳幼児を椅子に固定するベルトの締結解除を、片手で簡単に行うことができる。
【発明を実施するための最良の形態】
【００２０】
以下、この発明の実施例を具体的に説明する。
【実施例１】
【００２１】
図１〜図３において、１０はこの発明の実施例１に係る乳幼児椅子固定具で、この乳幼児椅子固定具１０は、椅子１１に着座した乳幼児の腹部（胴部）に押し当てられる固定具本体１２と、固定具本体１２に取り付けられ、乳幼児の胴部を椅子１１の背もたれ部１１ａに締結する第１のベルト１３と、固定具本体１２に設けられ、固定具本体１２を椅子１１の座部１１ｂに締結する第２のベルト１４とを備えている。
【００２２】
以下、各構成体をそれぞれ具体的に説明する。
椅子１１は、脚が短い子供用である。
固定具本体１２は、長さ２０ｃｍ、幅１０ｃｍのデニム地の矩形状の布である。固定具本体１２の長さ方向の両端部（使用時の上，下端部）の表側には、固定具本体１２の幅方向の両端側（使用時の左，右端側）が開口した１対のベルト通し部１５が配設されている。両ベルト通し部１５は、それぞれ縦横７ｃｍのデニム地の織布からなる。
第１のベルト１３は、３本の部分ベルト１３Ａ〜１３Ｃを着脱自在に連結させたものである。３本のうち、比較的長尺な２本の部分ベルト１３Ａ，１３Ｂは、長さ３３ｃｍ、幅５ｃｍのデニム製の帯である。また、残った比較的短尺な部分ベルト１３Ｃは、長さ２０ｃｍ、幅５ｃｍのデニム製の帯である。
【００２３】
３本の部分ベルト１３Ａ〜１３Ｃの一端部の表側には、雄側面状ファナス１６がそれぞれミシン縫着されている。このうち、部分ベルト１３Ａの雄側面状ファナス１６が、第１の係止部材となる。また、長尺な両部分ベルト１３Ａ，１３Ｂの他端部の裏側には、雌側面状ファスナ１７（第２の係止部材）がそれぞれミシン縫着されている。また、短尺な１本の部分ベルト１３Ｃの裏側には、その全面にわたって、雌側面状ファスナ１８（第２の係止部材）がミシン縫着されている。
第２のベルト１４は、長さ７８ｃｍ、幅５ｃｍのデニム製の帯である。第２のベルト１４の一端部の表側には、雄側面状ファスナ（第３の係止部材）１９がミシン縫着されている。また、第２のベルト１４の一端部の裏側には、雄側面状ファスナ１９の略４倍の長さを有する雌側面状ファスナ（第４の係止部材）２０がミシン縫着されている。
【００２４】
次に、この発明の実施例１に係る乳幼児椅子固定具１０の使用方法を説明する。
図１および図４に示すように、固定具本体１２の上側のベルト通し部１５に第１のベルト１３を通すとともに、固定具本体１２の下側のベルト通し部１５に第２のベルト１４を通す。
それから、椅子１１に着座した乳幼児の腹部に、固定具本体１２の裏側を押し当てる。そして、この状態のまま、第１のベルト１３の両端部を乳幼児の腹部から椅子１１の背もたれ部１１ａの背後までそれぞれ引き回す。ここで、第１のベルト１３の一端部の雄側面状ファスナと、第１のベルト１３の他端部の雌側面状ファスナとを重ね合わせて係止し、乳幼児の胴部を背もたれ部１１ａに締結（固定）する。
【００２５】
次いで、第２のベルト１４の両端部を椅子１１の座部１１ｂの下に引き回し、第２のベルト１４の一端部の雄側面状ファスナ１９と、第２のベルト１４の他端部の雌側面状ファスナ２０とを係止する。これにより、固定具本体１２が座部１１ｂに締結（固定）され、乳幼児は椅子１１にしっかりと固定される。その結果、乳幼児が椅子１１の上に立とうとしても、立ち上がることができない。
乳幼児を椅子１１から降ろす際には、第１のベルト１３のうち、任意の部分ベルト１３Ａ〜１３Ｂ間で、雄側面状ファスナ１６と雌側面状ファスナ１７または雌側面状ファスナ１８との係止状態を解除する。第１のベルト１３を、３本の部分ベルト１３Ａ〜１３Ｃにより構成し、隣り合う部分ベルト１３Ａ−１３Ｂ、１３Ｂ−１３Ｃ、１３Ｃ−１３Ａ同士を面状ファスナ１６〜１８により掛止するように構成したので、乳幼児を椅子１１から降ろす際に、第１のベルト１３の締結解除を、３箇所存在する部分ベルト１３Ａ〜１３Ｃ間のうち、任意に選択した箇所から、片手でも簡単に行うことができる。
なお、前述したように、第２のベルト１４を座部１１ｂの下に引き回し、そこで固定具本体１２を座部１１ｂに締結するとき、乳幼児の太股もいっしょに座部１１ｂに締結するようにしてもよい（図５）。こうすれば、乳幼児の座部１１ｂ上での立ち上がり防止効果をさらに高めることができる。
【００２６】
このように、乳幼児椅子１１固定具１０の材料を、主にデニム地の布としたので、使い易くて携帯性が高く、しかも安価で、乳幼児の固定機能を有していない椅子１１にも乳幼児を固定することができる。その結果、椅子１１からの乳幼児の落下を、未然に防止することができる。
また、第１のベルト１３と第２のベルト１４とは、固定具本体１２の上，下のベルト通し部１５に対して、ベルト長さ方向に移動自在に連結されている。そのため、固定具本体１２にしっかりと第１のベルト１３と、第２のベルト１４とを固定した場合に比べて、椅子１１に固定された乳幼児の自由度が大きくなる。そのため、第１のベルト１３および第２のベルト１４を用いて拘束されている乳幼児の窮屈さの程度が、若干ながら低減される。
しかも、第２のベルト１４の場合には、第２のベルト１４をその長さ方向に摺動させ、通常であれば、座部１１ｂの下で行われる雄側面状ファスナ１９と雌側面状ファスナ２０との係止操作および係止解除操作を、座席１１ｂの上で行うこともできる。
【００２７】
次に、図６を参照して、この発明の実施例２に係る乳幼児椅子固定具を説明する。
図６に示すように、実施例２の乳幼児椅子固定具１０Ａは、第２のベルト１４の一端部の雄側面状ファスナ１９に代えて、雄側バックル部（第３の係止部材）１９Ａを採用し、第２のベルト１４の他端部の雌側面状ファスナ２０に代えて、雌側バックル部（第４の係止部材）２０Ａを採用した例である。雄側バックル部１９Ａと雌側バックル部２０Ａとにより、プッシュ式のバックル３０が構成される。図示しないものの、第１のベルト１３の一端部の雄側面状ファスナ１６に代えて、雄側バックル部（第３の係止部材）１９Ａを採用し、第１のベルト１３の他端部の雌側面状ファスナ１８に代えて、雌側バックル部（第４の係止部材）２０Ａを採用するようにしてもよい。
このように、第２のベルト１４の両端部の係止およびその係止解除をバックル３０を用いて行うようにしたので、第２のベルト１４の締結解除を、片手で簡単に行うことができる。
その他の構成、作用および効果は、実施例１と略同じであるので説明を省略する。
【図面の簡単な説明】
【００２８】
【図１】この発明の実施例１に係る乳幼児椅子固定具の乳幼児の固定前の状態を示す斜視図である。
【図２】この発明の実施例１に係る乳幼児椅子固定具を構成する各部品の展開図である。
【図３】この発明の実施例１に係る乳幼児椅子固定具の第１のベルトの分解正面図であっる。
【図４】この発明の実施例１に係る乳幼児椅子固定具による乳幼児の椅子固定状態を示す斜視図である。
【図５】この発明の実施例１に係る乳幼児椅子固定具による乳幼児の他の椅子固定状態を示す斜視図である。
【図６】この発明の実施例２に係る乳幼児椅子固定具の要部拡大正面図である。
【符号の説明】
【００２９】
１０，１０Ａ  乳幼児椅子固定具、
１１  椅子、
１２  固定具本体、
１１ａ  背もたれ部、
１３  第１のベルト、
１１ｂ  座部、
１４  第２のベルト、
１６  雄側面状ファナス（第１の係止部材）、
１８  雌側面状ファスナ（第２の係止部材）、
１９  雄側面状ファナス（第３の係止部材）、
２０  雌側面状ファスナ（第４の係止部材）、
１３Ａ〜１３Ｃ  部分ベルト、
１９Ａ  雄側バックル部（第３の係止部材）、
２０Ａ  雌側バックル部（第４の係止部材）、
３０  バックル。
【図１】
2006187423.tif 000003
【図２】
2006187423.tif 000004
【図３】
2006187423.tif 000005
【図４】
2006187423.tif 000006
【図５】
2006187423.tif 000007
【図６】
2006187423.tif 000008
【手続補正書】
【提出日】平成17年11月8日(2005.11.8)
【手続補正１】
【補正対象書類名】特許請求の範囲
【補正対象項目名】全文
【補正方法】変更
【補正の内容】
【特許請求の範囲】
【請求項１】
椅子に着座した乳幼児の胴部に押し当てられる固定具本体と、
該固定具本体に取り付けられ、乳幼児の胴部を前記椅子の背もたれ部に締結する第１のベルトと、
前記固定具本体に設けられ、前記固定具本体を椅子の座部に締結することにより、乳幼児を椅子に固定する第２のベルトとを備え、
前記第１のベルトの一端部には第１の係止部材が連結されるとともに、前記第１のベルトの他端部には、前記第１の係止部材に係止される第２の係止部材が連結され、
前記第２のベルトの一端部には第３の係止部材が連結されるとともに、前記第２のベルトの他端部には、前記第３の係止部材に係止される第４の係止部材が連結された乳幼児椅子固定具。
【請求項２】
前記第２のベルトは、固定具本体とともに乳幼児の太股を座部に固定する請求項１に記載の乳幼児椅子固定具。
【請求項３】
前記第１のベルトおよび第２のベルトの少なくとも１つは、複数の部分ベルトにより構成され、
隣り合う部分ベルト同士は、掛止手段により着脱自在に連結された請求項１または請求項２に記載の乳幼児椅子固定具。
【請求項４】
互いに係合される前記第１の係止部材と第２の係止部材との組、および、互いに係合される前記第３の係止部材と第４の係止部材との組の少なくとも１つが、ワンタッチで両係止部材の係止状態を解除可能なプッシュ式またはプル式のバックルを構成している請求項１〜請求項３のうち、何れか１項に記載の乳幼児椅子固定具。
【手続補正２】
【補正対象書類名】明細書
【補正対象項目名】０００５
【補正方法】変更
【補正の内容】
【０００５】
請求項１に記載の発明は、椅子に着座した乳幼児の胴部に押し当てられる固定具本体と、該固定具本体に取り付けられ、乳幼児の胴部を前記椅子の背もたれ部に締結する第１のベルトと、前記固定具本体に設けられ、前記固定具本体を椅子の座部に締結することにより、乳幼児を椅子に固定する第２のベルトとを備え、前記第１のベルトの一端部には第１の係止部材が連結されるとともに、前記第１のベルトの他端部には、前記第１の係止部材に係止される第２の係止部材が連結され、前記第２のベルトの一端部には第３の係止部材が連結されるとともに、前記第２のベルトの他端部には、前記第３の係止部材に係止される第４の係止部材が連結された乳幼児椅子固定具である。
【手続補正３】
【補正対象書類名】明細書
【補正対象項目名】００１１
【補正方法】変更
【補正の内容】
【００１１】
請求項２に記載の発明は、前記第２のベルトは、固定具本体とともに乳幼児の太股を座部に固定する請求項１に記載の乳幼児椅子固定具である。
【手続補正４】
【補正対象書類名】明細書
【補正対象項目名】００１３
【補正方法】変更
【補正の内容】
【００１３】
請求項３に記載の発明は、前記第１のベルトおよび第２のベルトの少なくとも１つは、複数の部分ベルトにより構成され、隣り合う部分ベルト同士は、掛止手段により着脱自在に連結された請求項１または請求項２に記載の乳幼児椅子固定具である。
請求項３に記載の発明によれば、隣り合う部分ベルト同士を面状ファスナにより掛止したので、乳幼児を椅子に固定するベルトの締結解除を、複数の箇所のうちの選択した箇所から、片手で簡単に行うことができる。
面状ファスナは、雄側ファスナ部と雌側ファスナ部とからなるものと、雄雌を兼用したファスナ部からなるものでもよい。
【手続補正書】
【提出日】平成18年2月14日(2006.2.14)
【手続補正１】
【補正対象書類名】特許請求の範囲
【補正対象項目名】全文
【補正方法】変更
【補正の内容】
【特許請求の範囲】
【請求項１】
座部および背もたれ部を有する椅子に着座した乳幼児をこの椅子に固定するための乳幼児椅子固定具であって、
上記着座した乳幼児の腹部に押し当てられる固定具本体と、
この乳幼児を上記椅子の背もたれ部と固定具本体との間に挟んで固定具本体を背もたれ部に固定するよう固定具本体に連結された第１のベルトと、
上記乳幼児の腹部に押し当てられた固定具本体を、この乳幼児の太股を挟んだ状態で、椅子の座部に固定するよう固定具本体に連結された第２のベルトと、
前記第１のベルトの一端部に連結される第１の係止部材と、
前記第１のベルトの他端部に連結され、前記第１の係止部材に係止される第２の係止部材と、
前記第２のベルトの一端部に連結される第３の係止部材と、
前記第２のベルトの他端部に連結され、前記第３の係止部材に係止される第４の係止部材とを備えた乳幼児椅子固定具。
【請求項２】
座部および背もたれ部を有する椅子に着座した乳幼児をこの椅子に固定するための乳幼児椅子固定具であって、
上記着座した乳幼児の腹部に押し当てられる固定具本体と、
この乳幼児を上記椅子の背もたれ部と固定具本体との間に挟んで固定具本体を背もたれ部に固定するよう固定具本体に連結された第１のベルトと、
上記乳幼児の腹部に押し当てられた固定具本体を、この乳幼児の股を通った状態で、椅子の座部に固定するよう固定具本体に連結された第２のベルトと、
前記第１のベルトの一端部に連結される第１の係止部材と、
前記第１のベルトの他端部に連結され、前記第１の係止部材に係止される第２の係止部材と、
前記第２のベルトの一端部に連結される第３の係止部材と、
前記第２のベルトの他端部に連結され、前記第３の係止部材に係止される第４の係止部材とを備えた乳幼児椅子固定具。
【請求項３】
前記第１のベルトおよび第２のベルトの少なくとも１つは、複数の部分ベルトにより構成され、
隣り合う部分ベルト同士は、掛止手段により着脱自在に連結された請求項１または請求項２に記載の乳幼児椅子固定具。
【請求項４】
互いに係合される前記第１の係止部材と第２の係止部材との組、および、互いに係合される前記第３の係止部材と第４の係止部材との組の少なくとも１つが、ワンタッチで両係止部材の係止状態を解除可能なプッシュ式またはプル式のバックルを構成している請求項１〜請求項３のうち、何れか１項に記載の乳幼児椅子固定具。
【手続補正２】
【補正対象書類名】明細書
【補正対象項目名】全文
【補正方法】変更
【補正の内容】
【発明の詳細な説明】
【技術分野】
【０００１】
この発明は乳幼児椅子固定具、詳しくは乳幼児が椅子の上に立ち、バランスを崩して椅子から落下することを防止可能な乳幼児椅子固定具に関する。
【背景技術】
【０００２】
掴まり立ちができるようになった乳幼児を、じっと椅子に座らせておくことは難しく、すぐに座部の上に立とうとする。立ち上がったものの、乳幼児は足の踏ん張りが弱いため、バランスを崩して椅子から落下するおそれがある。
そこで、このような乳幼児の椅子からの転落を防ぐため、従来、特許文献１のような乳幼児固定機能付きの椅子が知られている。
特許文献１は、略三角柱条の椅子本体の上部に、前方が開放された腰掛け部が形成されたもので、腰掛け部の背もたれ部の前方に、両側方から延びた乳幼児の転落防止用の１対のガード部材が、バックル部を介して、着脱自在に設けられたものである。ガード部材は、バックル部の係合を解除することにより、ばねの力によって、バックル部の連結部分まで椅子本体内に収納されるようになっている。
【特許文献１】実公平５−１５２４８号公報
【発明の開示】
【発明が解決しようとする課題】
【０００３】
しかしながら、特許文献１に記載の発明では、乳幼児を固定する器具が椅子と一体化されたものであった。そのため、携帯性がなかった。例えばレストランに出かけたときなど、外出先に置かれた椅子に乳幼児を固定しようとしても、椅子が違うために乳幼児を固定することができなかった。
【０００４】
この発明は、使い易くて携帯性が高く、かつ安価で、乳幼児の固定機能を有していない椅子にも乳幼児を固定することができる乳幼児椅子固定具を提供することを目的としている。
また、この発明は、乳幼児を椅子に固定するベルトの締結解除を、複数の箇所のうちの選択した箇所から行うことができる乳幼児椅子固定具を提供することを目的としている。
さらに、この発明は、乳幼児を椅子に固定するベルトの締結解除を、片手で簡単に行うことができる乳幼児椅子固定具を提供することを目的としている。
【課題を解決するための手段】
【０００５】
請求項１に記載の発明は、座部および背もたれ部を有する椅子に着座した乳幼児をこの椅子に固定するための乳幼児椅子固定具であって、上記着座した乳幼児の腹部に押し当てられる固定具本体と、この乳幼児を上記椅子の背もたれ部と固定具本体との間に挟んで固定具本体を背もたれ部に固定するよう固定具本体に連結された第１のベルトと、上記乳幼児の腹部に押し当てられた固定具本体を、この乳幼児の太股を挟んだ状態で、椅子の座部に固定するよう固定具本体に連結された第２のベルトと、前記第１のベルトの一端部に連結される第１の係止部材と、前記第１のベルトの他端部に連結され、前記第１の係止部材に係止される第２の係止部材と、前記第２のベルトの一端部に連結される第３の係止部材と、前記第２のベルトの他端部に連結され、前記第３の係止部材に係止される第４の係止部材とを備えた乳幼児椅子固定具である。
【０００６】
請求項１に記載の発明によれば、椅子に着座した乳幼児の胴部に固定具本体を押し当て、この状態のまま、第１のベルトの両端部を乳幼児の胴部から椅子の背もたれ部の背後までそれぞれ引き回す。ここで、第１の係止部材と第２の係止部材とを係止し、乳幼児の胴部を背もたれ部に締結（固定）する。
また、第２のベルトの両端部を椅子の座部の下に引き回し、第３の係止部材と第４の係止部材とを係止する。これにより、固定具本体が座部に締結（固定）される。このとき、乳幼児の太股もいっしょに座部に締結するようにすれば、乳幼児の座部での立ち上がり防止効果がさらに高まる。
乳幼児椅子固定具をこのように構成したので、使い易くて携帯性が高く、しかも安価で、乳幼児の固定機能を有していない椅子にも乳幼児を固定することができる。
【０００７】
椅子は、背もたれ部と座部とを有してれば、その素材、寸法、形状などは限定されない。例えば、乳幼児用の脚が長いハイチェア、大人用の椅子、ベンチ（長椅子）、自動車や飛行機などの乗り物の着座シートなどを採用することができる。
乳幼児とは、例えば掴まり立ちができるようになった年齢の子供をいう。ただし、それだけには限定されない。それより弱齢でもよいし、それより高齢でもよい。身体障害者などにも適用することができる。
【０００８】
固定具本体の素材は限定されない。例えば布帛（織布、不織布、網布）、各種の合成樹脂、各種の金属、各種のセラミックスなどを採用することができる。
固定具本体の大きさは限定されない。
固定具本体の形状は限定されない。例えば三角形状や矩形状でもよい。また、円形でもよいし、楕円形でもよい。
固定具本体が押し当てられるのは、主に胴部のうちでも、前側の腹の部分である。その他、固定具本体が押し当てられる胴部の箇所は、脇腹や背中でもよい。ただし、背中の場合には、第１のベルトをいったん使用者の前方に引き回してから腹部に戻し、その後、背もたれ部の背後に引き回すことになる。
【０００９】
第１のベルトおよび第２のベルトとしては、例えば布帛（織布、不織布、網布）、各種の合成樹脂、各種の金属、各種のセラミックスなどを採用することができる。
第１のベルトおよび第２のベルトの大きさは限定されない。
固定具本体の形状は限定されない。例えば三角形状や矩形状でもよい。また、円形でもよいし、楕円形でもよい。
第１のベルトおよび第２のベルトの固定具本体への取り付け構造は限定されない。例えば、縫着や接着により、第１のベルトおよび第２のベルトを固定具本体にしっかりと固定してもよい。また、第１のベルトおよび第２のベルトが、その長さ方向に移動自在となるように、対応するベルトを固定具本体に取り付けてもよい。具体的には、例えば固定具本体に、対応するベルトが挿通される筒部や孔部を形成する。
【００１０】
固定具本体が押し当てられるのは、胴部のうちでも、主に、使用者の前方の腹の部分である。その他、固定具本体が当接される胴部としては、脇腹や背中でもよい。ただし、背中の場合には、第１のベルトをいったん使用者の前方に引き回してから腹部側に戻し、そのまま背もたれ部の背後に引き回すことになる。
互いに係合される第１の係止部材および第２の係止部材と、同じく互いに係合される第３の係止部材および第４の係止部材との種類はそれぞれ限定されない。例えば、各種のバックル、ホック、面状ファスナなどを採用することができる。
【００１１】
請求項２に記載の発明は、座部および背もたれ部を有する椅子に着座した乳幼児をこの椅子に固定するための乳幼児椅子固定具であって、上記着座した乳幼児の腹部に押し当てられる固定具本体と、この乳幼児を上記椅子の背もたれ部と固定具本体との間に挟んで固定具本体を背もたれ部に固定するよう固定具本体に連結された第１のベルトと、上記乳幼児の腹部に押し当てられた固定具本体を、この乳幼児の股を通った状態で、椅子の座部に固定するよう固定具本体に連結された第２のベルトと、前記第１のベルトの一端部に連結される第１の係止部材と、前記第１のベルトの他端部に連結され、前記第１の係止部材に係止される第２の係止部材と、前記第２のベルトの一端部に連結される第３の係止部材と、前記第２のベルトの他端部に連結され、前記第３の係止部材に係止される第４の係止部材とを備えた乳幼児椅子固定具である。
【００１２】
請求項２に記載の発明によれば、乳幼児が着座した状態において、固定具本体を乳幼児の腹部に押し当てて乳幼児を背もたれ部との間に挟んで第１のベルトで背もたれ部に固定するとともに、この固定具本体を乳幼児の股を通った状態で第２のベルトで座部に固定する。この結果、乳幼児の立ち上がりを防止することができる。
【００１３】
請求項３に記載の発明は、前記第１のベルトおよび第２のベルトの少なくとも１つは、複数の部分ベルトにより構成され、隣り合う部分ベルト同士は、掛止手段により着脱自在に連結された請求項１または請求項２に記載の乳幼児椅子固定具である。
請求項３に記載の発明によれば、第１のベルトおよび第２のベルトの少なくとも１つを、複数の部分ベルトにより構成し、隣り合う部分ベルト同士を掛止手段により掛止したので、乳幼児を椅子に固定するベルトの締結解除を、複数の箇所のうちの選択した箇所から行うことができる。
部分ベルトにより構成されるのは、第１のベルトだけでもよいし、第２のベルトだけでもよい。また、第１のベルトと第２のベルトとの両方でもよい。
第１のベルトを構成する部分ベルトの本数、または、第２のベルトを構成する部分ベルトの本数は、２本以上であればそれぞれ限定されない。
各部分ベルトの長さは互いに同じでもよいし、異なってもよい。
掛止手段としては、例えばフック、ホック、ボタン、紐、バックル、ファスナ、輪ゴムなどを採用することができる。
また、隣り合う部分ベルト同士を面状ファスナにより掛止することができ、この場合は乳幼児を椅子に固定するベルトの締結解除を、複数の箇所のうちの選択した箇所から、片手で簡単に行うことができる。
面状ファスナは、雄側ファスナ部と雌側ファスナ部とからなるものと、雄雌を兼用したファスナ部からなるものでもよい。
【００１４】
請求項４に記載の発明は、互いに係合される前記第１の係止部材と第２の係止部材との組、および、互いに係合される前記第３の係止部材と第４の係止部材との組の少なくとも１つが、ワンタッチで両係止部材の係止状態を解除可能なプッシュ式またはプル式のバックルを構成している請求項１〜請求項３のうち、何れか１項に記載の乳幼児椅子固定具である。
【００１５】
請求項４に記載の発明によれば、第１の係止部材と第２の係止部材との組、および、第３の係止部材と第４の係止部材との組の少なくとも１つが、プッシュ式またはプル式のバックルを構成するようにしたので、乳幼児を椅子に固定するベルトの締結解除を、片手でも簡単に行うことができる。
【００１６】
バックルは、プッシュ式でもよいし、プル式でもよい。
バックルを構成するのは、第１の係止部材と第２の係止部材との組だけでもよいし、第３の係止部材と第４の係止部材との組だけでもよい。さらには、第１の係止部材と第２の係止部材との組、および、第３の係止部材と第４の係止部材との組の両方でもよい。
【発明の効果】
【００１７】
請求項１に記載の発明によれば、乳幼児の胴部に押し当てられる固定具本体と、第１の係止部材および第２の係止部材を有し、かつ胴部を背もたれ部に締結する第１のベルトと、第３の係止部材および第４の係止部材を有し、かつ固定具本体を座部に締結する第２のベルトとを備えた乳幼児椅子固定具としたので、使い易くて携帯性が高く、かつ安価で、乳幼児の固定機能を有していない椅子にも乳幼児を固定することができる。
【００１８】
特に、請求項３に記載の発明によれば、第１のベルトおよび第２のベルトの少なくとも１つを、複数の部分ベルトにより構成し、隣り合う部分ベルト同士を掛止手段により掛止したので、乳幼児を椅子に固定するベルトの締結解除を、複数の箇所のうちの選択した箇所から行うことができる。
また、隣り合う部分ベルト同士を面状ファスナにより掛止することができ、その場合は、乳幼児を椅子に固定するベルトの締結解除を、複数の箇所のうちの選択した箇所から、片手で簡単に行うことができる。
【００１９】
また、請求項４に記載の発明によれば、第１の係止部材と第２の係止部材との組、および、第３の係止部材と第４の係止部材との組の少なくとも１つが、プッシュ式またはプル式のバックルを構成するようにしたので、乳幼児を椅子に固定するベルトの締結解除を、片手で簡単に行うことができる。
【発明を実施するための最良の形態】
【００２０】
以下、この発明の実施例を具体的に説明する。
【実施例１】
【００２１】
図１〜図３において、１０はこの発明の実施例１に係る乳幼児椅子固定具で、この乳幼児椅子固定具１０は、椅子１１に着座した乳幼児の腹部（胴部）に押し当てられる固定具本体１２と、固定具本体１２に取り付けられ、乳幼児の胴部を椅子１１の背もたれ部１１ａに締結する第１のベルト１３と、固定具本体１２に設けられ、固定具本体１２を椅子１１の座部１１ｂに締結する第２のベルト１４とを備えている。
【００２２】
以下、各構成体をそれぞれ具体的に説明する。
椅子１１は、脚が短い子供用である。
固定具本体１２は、長さ２０ｃｍ、幅１０ｃｍのデニム地の矩形状の布である。固定具本体１２の長さ方向の両端部（使用時の上，下端部）の表側には、固定具本体１２の幅方向の両端側（使用時の左，右端側）が開口した１対のベルト通し部１５が配設されている。両ベルト通し部１５は、それぞれ縦横７ｃｍのデニム地の織布からなる。
第１のベルト１３は、３本の部分ベルト１３Ａ〜１３Ｃを着脱自在に連結させたものである。３本のうち、比較的長尺な２本の部分ベルト１３Ａ，１３Ｂは、長さ３３ｃｍ、幅５ｃｍのデニム製の帯である。また、残った比較的短尺な部分ベルト１３Ｃは、長さ２０ｃｍ、幅５ｃｍのデニム製の帯である。
【００２３】
３本の部分ベルト１３Ａ〜１３Ｃの一端部の表側には、雄側面状ファナス１６がそれぞれミシン縫着されている。このうち、部分ベルト１３Ａの雄側面状ファナス１６が、第１の係止部材となる。また、長尺な両部分ベルト１３Ａ，１３Ｂの他端部の裏側には、雌側面状ファスナ１７（第２の係止部材）がそれぞれミシン縫着されている。また、短尺な１本の部分ベルト１３Ｃの裏側には、その全面にわたって、雌側面状ファスナ１８（第２の係止部材）がミシン縫着されている。
第２のベルト１４は、長さ７８ｃｍ、幅５ｃｍのデニム製の帯である。第２のベルト１４の一端部の表側には、雄側面状ファスナ（第３の係止部材）１９がミシン縫着されている。また、第２のベルト１４の一端部の裏側には、雄側面状ファスナ１９の略４倍の長さを有する雌側面状ファスナ（第４の係止部材）２０がミシン縫着されている。
【００２４】
次に、この発明の実施例１に係る乳幼児椅子固定具１０の使用方法を説明する。
図１および図４に示すように、固定具本体１２の上側のベルト通し部１５に第１のベルト１３を通すとともに、固定具本体１２の下側のベルト通し部１５に第２のベルト１４を通す。
それから、椅子１１に着座した乳幼児の腹部に、固定具本体１２の裏側を押し当てる。そして、この状態のまま、第１のベルト１３の両端部を乳幼児の腹部から椅子１１の背もたれ部１１ａの背後までそれぞれ引き回す。ここで、第１のベルト１３の一端部の雄側面状ファスナと、第１のベルト１３の他端部の雌側面状ファスナとを重ね合わせて係止し、乳幼児の胴部を背もたれ部１１ａに締結（固定）する。
【００２５】
次いで、第２のベルト１４の両端部を椅子１１の座部１１ｂの下に引き回し、第２のベルト１４の一端部の雄側面状ファスナ１９と、第２のベルト１４の他端部の雌側面状ファスナ２０とを係止する。これにより、固定具本体１２が座部１１ｂに締結（固定）され、乳幼児は椅子１１にしっかりと固定される。その結果、乳幼児が椅子１１の上に立とうとしても、立ち上がることができない。
乳幼児を椅子１１から降ろす際には、第１のベルト１３のうち、任意の部分ベルト１３Ａ〜１３Ｂ間で、雄側面状ファスナ１６と雌側面状ファスナ１７または雌側面状ファスナ１８との係止状態を解除する。第１のベルト１３を、３本の部分ベルト１３Ａ〜１３Ｃにより構成し、隣り合う部分ベルト１３Ａ−１３Ｂ、１３Ｂ−１３Ｃ、１３Ｃ−１３Ａ同士を面状ファスナ１６〜１８により掛止するように構成したので、乳幼児を椅子１１から降ろす際に、第１のベルト１３の締結解除を、３箇所存在する部分ベルト１３Ａ〜１３Ｃ間のうち、任意に選択した箇所から、片手でも簡単に行うことができる。
なお、前述したように、第２のベルト１４を座部１１ｂの下に引き回し、そこで固定具本体１２を座部１１ｂに締結するとき、乳幼児の太股もいっしょに座部１１ｂに締結するようにしてもよい（図５）。こうすれば、乳幼児の座部１１ｂ上での立ち上がり防止効果をさらに高めることができる。
【００２６】
このように、乳幼児椅子１１固定具１０の材料を、主にデニム地の布としたので、使い易くて携帯性が高く、しかも安価で、乳幼児の固定機能を有していない椅子１１にも乳幼児を固定することができる。その結果、椅子１１からの乳幼児の落下を、未然に防止することができる。
また、第１のベルト１３と第２のベルト１４とは、固定具本体１２の上，下のベルト通し部１５に対して、ベルト長さ方向に移動自在に連結されている。そのため、固定具本体１２にしっかりと第１のベルト１３と、第２のベルト１４とを固定した場合に比べて、椅子１１に固定された乳幼児の自由度が大きくなる。そのため、第１のベルト１３および第２のベルト１４を用いて拘束されている乳幼児の窮屈さの程度が、若干ながら低減される。
しかも、第２のベルト１４の場合には、第２のベルト１４をその長さ方向に摺動させ、通常であれば、座部１１ｂの下で行われる雄側面状ファスナ１９と雌側面状ファスナ２０との係止操作および係止解除操作を、座席１１ｂの上で行うこともできる。
【００２７】
次に、図６を参照して、この発明の実施例２に係る乳幼児椅子固定具を説明する。
図６に示すように、実施例２の乳幼児椅子固定具１０Ａは、第２のベルト１４の一端部の雄側面状ファスナ１９に代えて、雄側バックル部（第３の係止部材）１９Ａを採用し、第２のベルト１４の他端部の雌側面状ファスナ２０に代えて、雌側バックル部（第４の係止部材）２０Ａを採用した例である。雄側バックル部１９Ａと雌側バックル部２０Ａとにより、プッシュ式のバックル３０が構成される。図示しないものの、第１のベルト１３の一端部の雄側面状ファスナ１６に代えて、雄側バックル部（第３の係止部材）１９Ａを採用し、第１のベルト１３の他端部の雌側面状ファスナ１８に代えて、雌側バックル部（第４の係止部材）２０Ａを採用するようにしてもよい。
このように、第２のベルト１４の両端部の係止およびその係止解除をバックル３０を用いて行うようにしたので、第２のベルト１４の締結解除を、片手で簡単に行うことができる。
その他の構成、作用および効果は、実施例１と略同じであるので説明を省略する。
【図面の簡単な説明】
【００２８】
【図１】この発明の実施例１に係る乳幼児椅子固定具の乳幼児の固定前の状態を示す斜視図である。
【図２】この発明の実施例１に係る乳幼児椅子固定具を構成する各部品の展開図である。
【図３】この発明の実施例１に係る乳幼児椅子固定具の第１のベルトの分解正面図であっる。
【図４】この発明の実施例１に係る乳幼児椅子固定具による乳幼児の椅子固定状態を示す斜視図である。
【図５】この発明の実施例１に係る乳幼児椅子固定具による乳幼児の他の椅子固定状態を示す斜視図である。
【図６】この発明の実施例２に係る乳幼児椅子固定具の要部拡大正面図である。
【符号の説明】
【００２９】
１０，１０Ａ  乳幼児椅子固定具、
１１  椅子、
１２  固定具本体、
１１ａ  背もたれ部、
１３  第１のベルト、
１１ｂ  座部、
１４  第２のベルト、
１６  雄側面状ファナス（第１の係止部材）、
１８  雌側面状ファスナ（第２の係止部材）、
１９  雄側面状ファナス（第３の係止部材）、
２０  雌側面状ファスナ（第４の係止部材）、
１３Ａ〜１３Ｃ  部分ベルト、
１９Ａ  雄側バックル部（第３の係止部材）、
２０Ａ  雌側バックル部（第４の係止部材）、
３０  バックル。